(57)【要約】【課題】従来のサウナバスとは異なり利用者に快適な雰囲気を作り、心身ともに休養になる気浴室を提供すること。【解決手段】気浴休養室１の空気噴出口３に、温度、湿度、香り等を調節し、微風を起こす雰囲気調節装置４を設け、さらに、光・映像発生再生装置６、音・音楽発生再生装置７を設け、これらの装置をプログラム作成入力装置８によって、好みのプログラムにしたがって制御して、利用者の好みに合わせた雰囲気を有する気浴休養室とする。【選択図】    図１
2004181033.tif 000002
【特許請求の範囲】
【請求項１】
人の出入り口を備えた気浴休養室であって、室内の雰囲気を、自由に設定した時間、温度のプログラムにしたがって、制御可能にしたことを特徴とする気浴休養室。
【請求項２】
人の出入り口を備えた気浴休養室であって、室内の雰囲気を自由に設定した時間、湿度のプログラムにしたがって、制御可能にしたことを特徴とする請求項１記載の気浴休養室。
【請求項３】
室内への空気噴出口に、岩石を取り外し交換可能に備えたことを特徴とする請求項１又は請求項２記載の気浴休養室。
【請求項４】
室内への空気噴出口に、香り発生物質を配置したことを特徴とする請求項１乃至請求項３の何れかに記載の気浴休養室。
【請求項５】
室内の人に風を感じさせる程度の空気の流動を生じさせるようにしたことを特徴とする請求項１乃至請求項４の何れかに記載の気浴休養室。
【請求項６】
自由にプログラム化した光や映像を、室内に投射する装置を備えたことを特徴とする請求項１乃至請求項５の何れかに記載の気浴休養室。
【請求項７】
自由にプログラム化した音や音楽を、室内に発する装置を備えたことを特徴とする請求項１乃至請求項６の何れかに記載の気浴休養室。
【請求項８】
大きな気浴休養室をエアーカーテンで仕切り、各仕切り内部を一個の室として互いに独立した雰囲気を維持するようにした請求項１乃至請求項７の何れかに記載の気浴休養室。
【請求項９】
個室の気浴休養室の内部に、更に希望の高さでエアーカーテンで仕切り、室内の雰囲気を更に部分的に調節できるようにしたことを特徴とする請求項１乃至請求項８の何れかに記載の気浴休養室。
【請求項１０】
熱気、水蒸気発生装置として、交流電源に接続されたコイルによって電磁誘導加熱される発熱体を有することを特徴とする請求項１乃至請求項９の何れかに記載の気浴休養室。
【発明の詳細な説明】
【発明の属する技術分野】
この発明は利用者の好みに合わせたプログラムによって、時間経過とともに温度や湿度が変化し、必要に応じて、天然の岩石による自然の雰囲気を有し、微風を起こし、光や映像を投影し、音や音楽も発することができる気浴休養室に関する。
【従来の技術】
従来、高温あるいは低温サウナとして、室温が一定の気浴室が知られている。これは身体の休養というより、気浴室に居るときの発汗あるいは冷感とその後の浴槽入浴の繰り返しによる身体の刺激によって、その活力回復と共に、心理的に爽快感が得られるという効果がある入浴法である。
【発明が解決しようとする課題】
上記、従来のサウナバスは気浴室に居るときも水浴中も身体に加わる刺激は、入浴者にとって快感というものではなく一種の苦痛と言うべきものであって、ときには健康上の危険を伴うものである。
この発明は、入浴者が快感のみを得られるような雰囲気をつくり、心身ともに利用者の休養になる気浴室を提供しようとするものである。
【課題を解決するための手段】
上記課題を解決するための本発明の構成は、
（１）人の出入り口を備えた気浴休養室であって、室内の雰囲気を、自由に設定した時間、温度のプログラムにしたがって、制御可能にした気浴休養室。
（２）人の出入り口を備えた気浴休養室であって、室内の雰囲気を自由に設定した時間、湿度のプログラムにしたがって、制御可能にしたことを特徴とする上記（１）記載の気浴休養室。
（３）室内への空気噴出口に、岩石を取り外し交換可能に備えた上記（１）又は（２）記載の気浴休養室。
（４）室内への空気噴出口に、香り発生物質を配置した上記（１）乃至（３）の何れかに記載の気浴休養室。
（５）室内の人に風を感じさせる程度の空気の流動を生じさせるようにした上記（１）乃至（４）の何れかに記載の気浴休養室。
（６）自由にプログラム化した光や映像を、室内に投射する装置を備えた上記（１）乃至（５）の何れかに記載の気浴休養室。
（７）自由にプログラム化した音や音楽を、室内に発する装置を備えた上記（１）乃至（６）の何れかに記載の気浴休養室。
（８）大きな気浴休養室をエアーカーテンで仕切り、各仕切り内部を一個の室として互いに独立した雰囲気を維持するようにした上記（１）乃至（７）の何れかに記載の気浴休養室。
（９）個室の気浴休養室の内部に、更に希望の高さでエアーカーテンで仕切り、室内の雰囲気を更に部分的に調節できるようにした上記（１）乃至（８）の何れかに記載の気浴休養室。
（１０）熱気、水蒸気発生装置として、交流電源に接続されたコイルによって電磁誘導加熱される発熱体を有する上記（１）乃至（９）の何れかに記載の気浴休養室。
【発明の実施の形態】
上記構成を図面を参照して具体的に説明すると、図１は本発明の気浴休養室の一例の模式図である。図に示したものは、気浴休養室１の一個所に出入り口２があり、空気噴出口３が他の壁面に設けられ、その空気噴出口３には雰囲気調節装置４が設けられている。外から室内に噴出する空気はこの雰囲気調節装置４の内部を通過するように構成されている。この雰囲気調節装置４には冷気、熱気、水蒸気発生装置４Ｂから供給される冷気、熱気、水蒸気、外気および過熱水蒸気それぞれの量をプログラム作成入力装置８からの指示によって調節して、室内の雰囲気をプログラムのとうりに調節できるようになっている。
熱気、水蒸気発生のための加熱装置は配管内部に設けた金属発熱体内部に、加熱しようとする気体や液体を通過させながら金属発熱体を電磁誘導加熱する構造のものが好ましい。電磁誘導加熱に用いる交流電源は一般の商用周波数だけではなく、１００ＫＨｚまでの周波数のものが適当である。
香料保持具４Ａは雰囲気調節装置４を通過する空気に好ましい香りを加えるようになっている。岩石保持具５は雰囲気調節装置４を覆い隠すように設けられいて雰囲気調節装置４から流出する空気は岩石保持具５に取り付けられた自然石の隙間から室内に流出すると同時に自然石によっては、その匂いも加えることが出来る。更に室内にそよ風程度の気流を起こし、室内の温度変化に合わせて風の強さや湿度を調整し体感温度に、いわゆる「ゆらぎ」をもたせたり、短時間の間隔で温度や湿度の変化を繰り返し、室内の環境をいっそう自然に近い雰囲気に保つことが出来る。
室内の壁面や天井には光、映像発生再生装置６と音、音楽発生再生装置７とがあって、これらの装置もプログラム作成入力装置８からの指示によって、映像、音楽等をプログラムのとおりに発生させて気浴室の利用者の希望に合わせて気持ちのよい環境を作り出すことができる。
この気浴休養室１は、個室であればその利用者一人が自由にプログラムしたり、利用者一人の好みにあった雰囲気プログラムをプログラム作成入力装置８に入力しておいて利用に供すればよい。従来のサウナ室と同様に、複数の利用者が随時利用するときは平均的なプログラムを設定しておいて、それを出入り口２に表示しておき、現在の進行状況を示しておけば、一人一人の利用者が好きな状況の時に入室して気浴、休養することができる。
図２に示した例は気浴休養室を個室とし、図１に示したような気浴休養室をそれぞれ１Ａ，１Ｂ…１Ｎと複数設置して各室ごとに利用者一人一人が自由にプログラムしたり、利用者一人一人の好みに応じた雰囲気プログラムを入力しておいて利用者に最も快適な雰囲気を提供することができる。このような設備は、普通は図２に示すように大部屋を壁で仕切られた室にするが、図３に示すように、独立した個室を任意に並べてもよい。
図４に示すものは大きな室をエアーカーテン４Ｃで仕切った例であって、このようにすると設備を簡略にすることができる。この場合には、光、映像発生装置６と音、音楽発生装置７は共通でよいが、雰囲気調節装置４や岩石保持具５、香料保持具４Ａ等はエアーカーテン４Ｃで仕切った各室ごとに設けて、それぞれ独立したプログラムによって雰囲気が調節される。
図５に示したものは図４に示したようなエアーカーテンで仕切った個室を図３に示すように、任意に並べた中の一つであって、室の１面は雰囲気調節装置４及び光、映像発生再生装置６や音、音楽発生再生装置７等を備えた壁で、他の３面はエアーカーテンで仕切った形式の気浴休養室である。この形式では周囲の景色、情景を利用した雰囲気を楽しむことが出来る。
図６に示したものは、図５に示したエアーカーテン型の個室の内部に更に、矢印で示したように斜め上方から、室内に風９を送風する形の気浴休養室であって、室内を希望の高さのエアーカーテンで仕切り室内の雰囲気を更に部分的に調節できるようにした例である。
このような形式の気浴休養室では、中の人間の頭部は比較的低温の雰囲気に保ち、胴体以下を暖かい雰囲気に保つこともできる。更に、風９の高さや方向を選ぶことによって、腰から下あるいは足のみを暖めることもできる。
【発明の効果】
以上、説明したように、この発明の気浴休養室は利用者が苦痛を感じないで、かつ健康上の危険を伴わずに、心身の疲労回復をすることが出来る。
【図面の簡単な説明】
【図１】本発明の気浴休養室の一例の模式図
【図２】個室を並べた形式の気浴休養室の模式図
【図３】独立した個室を任意に配置した気浴休養室の模式図
【図４】大きな気浴休養室をエアーカーテンで仕切った形式の気浴休養室の模式図
【図５】エアーカーテンで仕切った独立した個室の気浴休養室の模式図
【図６】エアーカーテンで仕切った気浴休養室の室内に斜め上方から室内に送風する形式の気浴休養室の模式図
【符号の説明】
１、気浴休養室
１Ａ、１Ｂ、１Ｎ、並んで設けられた気浴休養室
２、出入り口
３、吸、排気口
４、雰囲気調節装置（温度、湿度、）
４Ａ、香料保持具
４Ｂ、冷気、熱気、水蒸気発生装置
４Ｃ、エアーカーテン
５、岩石保持具
６、光、映像発生再生装置
７、音、音楽発生再生装置
８、プログラム作成入力装置
９、室内雰囲気を部分的に調節する風
【図１】
2004181033.tif 000003
【図２】
2004181033.tif 000004
【図３】
2004181033.tif 000005
【図４】
2004181033.tif 000006
【図５】
2004181033.tif 000007
【図６】
2004181033.tif 000008
【手続補正書】
【提出日】平成14年12月19日(2002.12.19)
【手続補正１】
【補正対象書類名】明細書
【補正対象項目名】発明の詳細な説明
【補正方法】変更
【補正の内容】
【発明の詳細な説明】
【０００１】
【発明の属する技術分野】
この発明は利用者の好みに合わせたプログラムによって、時間経過とともに温度や湿度が変化し、必要に応じて、天然の岩石による自然の雰囲気を有し、微風を起こし、光や映像を投影し、音や音楽も発することができる気浴休養室に関する。
【０００２】
【従来の技術】
従来、高温あるいは低温サウナとして、室温が一定の気浴室が知られている。これは身体の休養というより、気浴室に居るときの発汗あるいは冷感とその後の浴槽入浴の繰り返しによる身体の刺激によって、その活力回復と共に、心理的に爽快感が得られるという効果がある入浴法である。
【０００３】
【発明が解決しようとする課題】
上記、従来のサウナバスは気浴室に居るときも水浴中も身体に加わる刺激は、入浴者にとって快感というものではなく一種の苦痛と言うべきものであって、ときには健康上の危険を伴うものである。
【０００４】
この発明は、入浴者が快感のみを得られるような雰囲気をつくり、心身ともに利用者の休養になる気浴室を提供しようとするものである。
【０００５】
【課題を解決するための手段】
上記課題を解決するための本発明の構成は、
（１）人の出入り口を備えた気浴休養室であって、室内の雰囲気を、自由に設定した時間、温度のプログラムにしたがって、制御可能にした気浴休養室。
（２）人の出入り口を備えた気浴休養室であって、室内の雰囲気を自由に設定した時間、湿度のプログラムにしたがって、制御可能にしたことを特徴とする上記（１）記載の気浴休養室。
（３）室内への空気噴出口に、岩石を取り外し交換可能に備えた上記（１）又は（２）記載の気浴休養室。
（４）室内への空気噴出口に、香り発生物質を配置した上記（１）乃至（３）の何れかに記載の気浴休養室。
（５）室内の人に風を感じさせる程度の空気の流動を生じさせるようにした上記（１）乃至（４）の何れかに記載の気浴休養室。
（６）自由にプログラム化した光や映像を、室内に投射する装置を備えた上記（１）乃至（５）の何れかに記載の気浴休養室。
（７）自由にプログラム化した音や音楽を、室内に発する装置を備えた上記（１）乃至（６）の何れかに記載の気浴休養室。
（８）大きな気浴休養室をエアーカーテンで仕切り、各仕切り内部を一個の室として互いに独立した雰囲気を維持するようにした上記（１）乃至（７）の何れかに記載の気浴休養室。
（９）個室の気浴休養室の内部に、更に希望の高さでエアーカーテンで仕切り、室内の雰囲気を更に部分的に調節できるようにした上記（１）乃至（８）の何れかに記載の気浴休養室。
（１０）熱気、水蒸気発生装置として、交流電源に接続されたコイルによって電磁誘導加熱される発熱体を有する上記（１）乃至（９）の何れかに記載の気浴休養室。
【０００６】
【発明の実施の形態】
上記構成を図面を参照して具体的に説明すると、図１は本発明の気浴休養室の一例の模式図である。図に示したものは、気浴休養室１の一個所に出入り口２があり、空気噴出口３が他の壁面に設けられ、その空気噴出口３には雰囲気調節装置４が設けられている。外から室内に噴出する空気はこの雰囲気調節装置４の内部を通過するように構成されている。この雰囲気調節装置４には冷気、熱気、水蒸気発生装置４Ｂから供給される冷気、熱気、水蒸気、外気および過熱水蒸気それぞれの量をプログラム作成入力装置８からの指示によって調節して、室内の雰囲気をプログラムのとうりに調節できるようになっている。
【０００７】
熱気、水蒸気発生のための加熱装置は配管内部に設けた金属発熱体内部に、加熱しようとする気体や液体を通過させながら金属発熱体を電磁誘導加熱する構造のものが好ましい。電磁誘導加熱に用いる交流電源は一般の商用周波数だけではなく、１００ＫＨｚまでの周波数のものが適当である。
【０００８】
香料保持具４Ａは雰囲気調節装置４を通過する空気に好ましい香りを加えるようになっている。岩石保持具５は雰囲気調節装置４を覆い隠すように設けられいて雰囲気調節装置４から流出する空気は岩石保持具５に取り付けられた自然石の隙間から室内に流出すると同時に自然石によっては、その匂いも加えることが出来る。更に室内にそよ風程度の気流を起こし、室内の温度変化に合わせて風の強さや湿度を調整し体感温度に、いわゆる「ゆらぎ」をもたせたり、短時間の間隔で温度や湿度の変化を繰り返し、室内の環境をいっそう自然に近い雰囲気に保つことが出来る。
【０００９】
室内の壁面や天井には光、映像発生再生装置６と音、音楽発生再生装置７とがあって、これらの装置もプログラム作成入力装置８からの指示によって、映像、音楽等をプログラムのとおりに発生させて気浴室の利用者の希望に合わせて気持ちのよい環境を作り出すことができる。
【００１０】
この気浴休養室１は、個室であればその利用者一人が自由にプログラムしたり、利用者一人の好みにあった雰囲気プログラムをプログラム作成入力装置８に入力しておいて利用に供すればよい。従来のサウナ室と同様に、複数の利用者が随時利用するときは平均的なプログラムを設定しておいて、それを出入り口２に表示しておき、現在の進行状況を示しておけば、一人一人の利用者が好きな状況の時に入室して気浴、休養することができる。
【００１１】
図２に示した例は気浴休養室を個室とし、図１に示したような気浴休養室をそれぞれ１Ａ，１Ｂ…１Ｎと複数設置して各室ごとに利用者一人一人が自由にプログラムしたり、利用者一人一人の好みに応じた雰囲気プログラムを入力しておいて利用者に最も快適な雰囲気を提供することができる。このような設備は、普通は図２に示すように大部屋を壁で仕切られた室にするが、図３に示すように、独立した個室を任意に並べてもよい。
【００１２】
図４に示すものは大きな室をエアーカーテン４Ｃで仕切った例であって、このようにすると設備を簡略にすることができる。この場合には、光、映像発生装置６と音、音楽発生装置７は共通でよいが、雰囲気調節装置４や岩石保持具５、香料保持具４Ａ等はエアーカーテン４Ｃで仕切った各室ごとに設けて、それぞれ独立したプログラムによって雰囲気が調節される。
【００１３】
図５に示したものは図４に示したようなエアーカーテンで仕切った個室を図３に示すように、任意に並べた中の一つであって、室の１面は雰囲気調節装置４及び光、映像発生再生装置６や音、音楽発生再生装置７等を備えた壁で、他の３面はエアーカーテンで仕切った形式の気浴休養室である。この形式では周囲の景色、情景を利用した雰囲気を楽しむことが出来る。
【００１４】
図６に示したものは、図５に示したエアーカーテン型の個室の内部に更に、矢印で示したように斜め上方から、室内に風９を送風する形の気浴休養室であって、室内を希望の高さのエアーカーテンで仕切り室内の雰囲気を更に部分的に調節できるようにした例である。
【００１５】
このような形式の気浴休養室では、中の人間の頭部は比較的低温の雰囲気に保ち、胴体以下を暖かい雰囲気に保つこともできる。更に、風９の高さや方向を選ぶことによって、腰から下あるいは足のみを暖めることもできる。
【００１６】
【発明の効果】
以上、説明したように、この発明の気浴休養室は利用者が苦痛を感じないで、かつ健康上の危険を伴わずに、心身の疲労回復をすることが出来る。